(57)【特許請求の範囲】
【請求項１】
記録媒体を保持して搬送する搬送手段と、
記録媒体が挿入される挿入口と、
該挿入口を開閉するシャッターと、
カム部材を回転させることによって、上記搬送手段とスライドレバーとを上下方向に移動させる一つの駆動モーターと、上記スライドレバーが移動することにより上記スライドレバーに設けられたカム部に案内されて移動する上記記録媒体に対して情報信号の記録及び／又は再生を行う記録再生手段を有するベースユニットを備え、
開放されている挿入口から上記記録媒体が挿入され搬送手段に保持されたときには、所定時間経過後に記録媒体がローディングされると共にシャッターによって挿入口が閉塞され、
開放されている挿入口から記録媒体が挿入されないときには、所定時間経過後にシャッターによって挿入口が閉塞されるようにし、
上記シャッターとして、上記ベースユニットの一部を用い、
上記ベースユニットは、上記駆動モーターが上記カム部材を回転させると共に、移動する上記スライドレバーのカム部により前後方向へ移動してローディングされた記録媒体を装着する装着手段を有し、
記録媒体の装着手段への装着時にベースユニットが移動されるときにベースユニットの一部によって上記挿入口が閉塞され、
記録媒体の装着手段からの装着解除時にベースユニットが移動されるときに上記挿入口が開放されるようにした
ことを特徴とする記録及び／又は再生装置。
【発明の詳細な説明】
【０００１】
【発明の属する技術分野】
本発明は記録及び／又は再生装置に関する。詳しくは、挿入口から挿入された記録媒体に対して情報信号の記録及び／又は再生を行う記録及び／又は再生装置についての技術分野に関する。
【０００２】
【従来の技術】
記録媒体、例えば、ディスク状記録媒体に対して情報信号の記録若しくは再生又はこれらの双方を行うことができるディスク記録及び／又は再生装置がある。
【０００３】
このようなディスク記録及び／又は再生装置にあっては、挿入口から挿入されたディスク状記録媒体を搬送手段によって保持して搬送しローディング動作を行うようにしたものがある。
【０００４】
例えば、挿入口は開閉スイッチを操作することにより開閉され、挿入口を開放してディスク状記録媒体の一部を挿入口から挿入することによりディスク状記録媒体が搬送手段によって保持され、次いで、ローディングスイッチを操作すると、搬送手段によってディスク状記録媒体が搬送されてローディング動作が為されると共に開放されていた挿入口が閉塞される。
【０００５】
【発明が解決しようとする課題】
ところが、従来のディスク記録及び／又は再生装置にあっては、挿入口を開放した状態において、再度開閉スイッチを操作して挿入口を閉塞するか、或いは、ディスク状記録媒体を挿入してローディングスイッチを操作しない限り、挿入口は開放されたまま放置されることになる。
【０００６】
従って、その間、挿入口から塵埃等が侵入してしまい、特に、挿入口が開放された時間が長くなると、塵埃等によりディスク記録及び／又は再生装置の性能を低下させることになる。
【０００７】
また、挿入口からディスク状記録媒体の一部を挿入し該ディスク状記録媒体が搬送手段によって保持された状態で放置された場合には、挿入口から塵埃等が侵入してしまうと共にディスク状記録媒体に塵埃等が付着し、ディスク記録及び／又は再生装置の動作に支障を来たす可能性もある。
【０００８】
そこで、本発明記録及び／又は再生装置は、上記した問題点を克服し、挿入口からの塵埃等の侵入及び記録媒体への塵埃等の付着を防止することを課題とする。
【０００９】
【課題を解決するための手段】
本発明記録及び／又は再生装置は、上記した課題を解決するために、記録媒体を保持して搬送する搬送手段と、記録媒体が挿入される挿入口と、該挿入口を開閉するシャッターと、カム部材を回転させることによって、上記搬送手段とスライドレバーとを上下方向に移動させる一つの駆動モーターと、上記スライドレバーが移動することにより上記スライドレバーに設けられたカム部に案内されて移動する上記記録媒体に対して情報信号の記録及び／又は再生を行う記録再生手段を有するベースユニットを備え、開放されている挿入口から上記記録媒体が挿入され搬送手段に保持されたときには、所定時間経過後に記録媒体がローディングされると共にシャッターによって挿入口が閉塞され、開放されている挿入口から記録媒体が挿入されないときには、所定時間経過後にシャッターによって挿入口が閉塞されるようにし、上記シャッターとして、上記ベースユニットの一部を用い、上記ベースユニットは、上記駆動モーターが上記カム部材を回転させると共に、移動する上記スライドレバーのカム部により前後方向へ移動してローディングされた記録媒体を装着する装着手段を有し、記録媒体の装着手段への装着時にベースユニットが移動されるときにベースユニットの一部によって上記挿入口が閉塞され、記録媒体の装着手段からの装着解除時にベースユニットが移動されるときに上記挿入口が開放されるようにしたものである。
【００１０】
従って、本発明記録及び／又は再生装置にあっては、所定時間経過後開放されていた挿入口が閉塞されるので、挿入口からの塵埃等の侵入及び記録媒体への塵埃等の付着を最小限に抑えることができるため、記録及び／又は再生装置の性能の維持を図ることができる。そして、シャッターとして、ベースユニットの一部を用いたので、別にシャッターを必要とせず、記録及び／又は再生装置の部品点数が削減され記録及び／又は再生装置の製造コストの低減を図ることができる。そして、さらに、ベースユニットは駆動モーターがカム部材を回転させると共に、移動する上記スライドレバーのカム部により前後方向へ移動してローディングされた記録媒体を装着する装着手段を有し、記録媒体の装着手段への装着時にベースユニットが移動されるときにベースユニットの一部によって挿入口が閉塞され、記録媒体の装着手段からの装着解除時にベースユニットが移動されるときに挿入口が開放されるようにしたので、必要に応じて挿入口が開閉され、記録及び／又は再生装置の使い勝手の向上を図ることができると共に挿入口からの塵埃等の侵入を効率的に抑制することができる。
【００１３】
【発明の実施の形態】
以下に、本発明の実施の形態を添付図面を参照して説明する。
【００１４】
尚、以下に示した実施の形態は、本発明をディスク再生装置に適用したものである。
【００１５】
ディスク再生装置１は本体部２と該本体部２に隣接して配置される図示しないスピーカー部とから成り、本体部２は外筐３内に所要の各部材及び各機構が設けられて成る。
【００１６】
外筐３は前方に開口された箱状を為す筐体４と該筐体４の前面の上端部に取り付けられた上面パネル５と該上面パネル５の前面に取り付けられた前面パネル６とを有している（図１及び図２参照）。そして、上面パネル５には左右方向に長い挿入口５ａが形成されている。
【００１７】
前面パネル６は下側に位置された操作パネル部６ａと該操作パネル部６ａの上端部に取り付けられた透明材料によって形成された透明パネル部６ｂとから成る（図１及び図２参照）。そして、操作パネル部６ａには、各種の操作を行うための操作釦７、７、・・・及び各種の表示が為される液晶表示部８が配置されている。また、透明パネル部６ｂの背面の略中央部には、ディスククランパー９が固定されている（図１４参照）。
【００１８】
ディスククランパー９は本体側支持部１０にスタビライザー１１が回転自在かつ軸方向、即ち、前後方向へ移動自在に支持されて成る（図１４参照）。本体側支持部１０は前面パネル６に固定された円板部１０ａと該円板部１０ａの周縁から後方へ突出された円筒部１０ｂと該円筒部１０ｂの後縁から内方へ突出された内フランジ部１０ｃとを有し、背面側の開口が支持孔１０ｄとして形成されている。そして、円板部１０ａの後面の中央部には、吸着手段としてのサブマグネット１２が固定されている。
【００１９】
スタビライザー１１は略円環状を為すクランプ部１１ａと該クランプ部１１ａの内周縁から前方へ突出された円筒部１１ｂと該円筒部１１ｂの前端縁から外方へ周方向に離間して突出された支持突部１１ｃ、１１ｃ、１１ｃとを有し、円筒部１１ｂの内部に被吸着部として設けられた鉄板１３が取り付けられている。そして、スタビライザー１１の円筒部１１ｂの外径は本体側支持部１０の支持孔１０ｄの内径より僅かに小さくされている。
【００２０】
スタビライザー１１は支持突部１１ｃ、１１ｃ、１１ｃが本体側支持部１０の内部に挿入されることにより、該本体側支持部１０に回転自在かつ軸方向、即ち、前後方向へ移動自在に支持されている。そして、ディスククランパー９は、本体側支持部１０の円板部１０ａが前面パネル６の透明パネル部６ｂの背面に接した状態で、前面パネル６の略中央部に固定されている。また、スタビライザー１１は、ディスクディスク状記録媒体として用いられる後述するコンパクトディスク（ＣＤ）のチャッキングが行われない状態においては、サブマグネット１２に鉄板１３が吸着されクランプ部１１ａが内フランジ部１０ｃに接した状態とされている（図１４及び図１６参照）。
【００２１】
外筐３内の前面側には上下方向及び前後方向に移動可能なベースユニット１４が支持され、該ベースユニット１４は前面部１５に後側部１６が取り付けられて形成されている。
【００２２】
前面部１５は前後方向から見て略矩形の板状を為し、中央部に円形の配置孔１５ａが形成されている（図１参照）。そして、前面部１５には、配置孔１５ａの左端に連続して左右方向に細長の透過孔１５ｂが形成されている（図１参照）。
【００２３】
前面部１５の配置孔１５ａにはディスクテーブル１７が配置され、該ディスクテーブル１７は図示しないスピンドルモーターによって回転されるようになっている。ディスクテーブル１７は、ディスク状記録媒体を装着するための装着手段として設けられ、円板状のクランプ部１７ａと該クランプ部１７ａの中央部から前方へ突出された嵌合部１７ｂとを有している。そして、嵌合部１７ｂにはマグネット１８が埋設状に設けられ、該マグネット１８の磁力は上記ディスククランパー９のサブマグネット１２の磁力より強くされている。
【００２４】
ディスクテーブル１７は、クランプ部１７ａの前面が前面部１５の前面より僅かに前方に位置した状態で配置孔１５ａに配置されている（図３参照）。
【００２５】
前面部１５には光学ピックアップ１９が左右方向へ移動自在に支持されており（図１参照）、該光学ピックアップ１９はＣＤに対して情報信号の再生を行うための再生手段としての役割を果たす。
【００２６】
光学ピックアップ１９には２軸アクチュエーター２０が設けられている。そして、光学ピックアップ１９が左右方向へ移動されると、２軸アクチュエーター２０の対物レンズ２０ａが前面部１５の透過孔１５ｂに対応して移動されるようになっている。
【００２７】
後側部１６は略矩形状を為し、ディスクテーブル１７及び光学ピックアップ１９を後方から覆うようにして前面部１５の後面に取り付けられている。そして、後側部１６の左右両側面からは、それぞれ支持ピン１６ａ、１６ａが上下に離間して突設されている（図３参照）。
【００２８】
ベースユニット１４の後方には、支持ベース２１が配置されている（図３及び図４参照）。支持ベース２１は前後方向を向く支持面部２２と該支持面部２２の周縁に一体に設けられた枠状部２３とから成り、支持面部２２の前面が前面側支持部２４として形成され、支持面部２２の後面が後面側支持部２５として形成されている。
【００２９】
枠状部２３の左右両側面には、それぞれ上下に離間してガイドピン２３ａ、２３ａが突出され、該ガイドピン２３ａ、２３ａ間にそれぞれ前方へ開口された切欠２３ｂ、２３ｂが形成されている。
【００３０】
前面側支持部２４の左右方向における中央部には、上下に離間して支持突部２４ａ、２４ａが前方へ突出されている。そして、後面側支持部２５の中央部には支持軸２５ａが後方へ突出されている。また、支持面部２２には支持軸２５ａの真下に上下方向に長い挿通孔２２ａが形成されている。
【００３１】
後面側支持部２５の下端部には、作動スイッチ２６が配置されている。作動スイッチ２６は中央の第１の検出位置を基準にして、その両側の第２の検出位置と第３の検出位置との間を回動操作される。そして、作動スイッチ２６への操作が解除された状態においては、作動スイッチ２６は第２の検出位置及び第３の検出位置の何れの位置に操作されていた場合でも、第１の検出位置に自動的に戻るようになっている。
【００３２】
前面側支持部２４には第１の昇降部材２７が上下方向にスライド自在に支持されている（図４及び図５参照）。第１の昇降部材２７の左右方向における中央部には、上下に離間して上下方向に延びる被支持孔２７ａ、２７ａが形成されている。そして、第１の昇降部材２７の上下方向における中央部で左右両端部には、外方へ突出する挿入突部２７ｂ、２７ｂが形成されている。また、第１の昇降部材２７の略中央部には、後方へ突出された係合ピン２７ｃが形成されている。
【００３３】
第１の昇降部材２７は、被支持孔２７ａ、２７ａがそれぞれ支持面部２２の支持突部２４ａ、２４ａに支持される。そして、この状態で挿入突部２７ｂ、２７ｂが、それぞれ枠状部２３の切欠２３ｂ、２３ｂから外方へ突出される。また、係合ピン２７ｃは支持面部２２に形成された挿通孔２２ａから後方へ突出される。
【００３４】
カム部材２８は円板状を為し、全周にギヤ部２８ａが形成され、中心部に被支持孔２８ｂが形成されている（図４、図６乃至図８参照）。カム部材２８の前面には第１のカム溝２９が形成され、該第１のカム溝２９は、被支持孔２８ｂの周囲に位置し円弧状を為す非駆動部２９ａと該非駆動部２９ａに連続する曲線状の駆動部２９ｂと該駆動部２９ｂに連続するロック部２９ｃとから成る（図６参照）。
【００３５】
カム部材２８の後面には第２のカム溝３０が形成され、該第２のカム溝３０は始端部３０ａと該始端部３０ａに連続する作動部３０ｂと該作動部３０ｂに連続する非作動部３０ｃと該非作動部３０ｃに連続する終端部３０ｄとから成る（図７及び図８参照）。
【００３６】
始端部３０ａはカム部材２８の外周寄りに位置され、短い円弧状に形成されている。作動部３０ｂは始端部３０ａから離間するにしたがって、カム部材２８の中心に近付くように変位する曲線状に形成されている。非作動部３０ｃは被支持孔２８ｂの周囲に位置され、円弧状に形成されている。終端部３０ｄも被支持孔２８ｂの周囲に形成され、カム部材２８の中心側に凸の緩やかな曲線状に形成されている。そして、上記始端部３０ａは、第２のカム溝３０の他の部分より溝幅が広く形成されている。
【００３７】
カム部材２８には、長穴状のバネ配置孔２８ｃが形成され、該バネ配置孔２８ｃの近傍の異なる位置に、それぞれ挿通孔２８ｄとバネ掛け孔２８ｅが形成されている。また、カム部材２８の所定の位置には、それぞれ略同じ方向に延びる長穴状の支持孔２８ｆ、２８ｆが形成されている（図６参照）。さらに、カム部材２８の第２のカム溝３０の始端部３０ａの近傍に、段差状の規制部２８ｇが形成されている（図７及び図８参照）。
【００３８】
カム部材２８の後面には、操作部材３１が移動自在に支持されている（図７及び図８参照）。操作部材３１は板状の略Ｊ字状を為し、一端部が幅広の被押圧部３１ａとして形成されている。そして、操作部材３１の被押圧部３１ａ以外の他の部分３１ｂの先端寄りの部分には、前方へ突出された軸状の操作部３１ｃが形成されている。
【００３９】
操作部材３１は被押圧部３１ａと部分３１ｂとが、それぞれカム部材２８の支持孔２８ｆ、２８ｆに被押圧部３１ａがカム部材２８の中心に対して離接する方向へ移動自在に支持されている。
【００４０】
操作部材３１がカム部材２８に支持された状態において、操作部３１ｃがカム部材２８の挿通孔２８ｄから前方へ突出されている。そして、操作部材３１がカム部材２８に支持された状態において、部分３１ｂの先端部とカム部材２８のバネ掛け孔２８ｅとの間に、付勢部材としてバネ配置孔２８ｃに配置される引張コイルバネ３２が張設され、これにより操作部材３１に被押圧部３１ａがカム部材２８の中心から離間する方向への付勢力が付与されている。また、カム部材２８の中心から離間する方向へ付勢された操作部材３１は、被押圧部３１ａがカム部材２８に形成された規制部２８ｇによって、付勢された方向への移動が規制されている。
【００４１】
操作部材３１は引張コイルバネ３２に付勢され規制部２８ｇによって移動を規制された状態において、被押圧部３１ａが第２のカム溝３０の始端部３０ａの内周側の部分を覆った状態とされている（図７参照）。
【００４２】
カム部材２８は操作部材３１を支持した状態で、被支持孔２８ｂが支持面部２２の支持軸２５ａに挿入されて後面側支持部２５に回転自在に支持される。そして、カム部材２８が後面側支持部２５に支持された状態において、ギヤ部２８ａに図示しない駆動ギヤが噛合される。この駆動ギヤは、正逆両回転が可能な図示しない駆動モーターの駆動力が伝達されて回転されるようになっている。また、カム部材２８の第１のカム溝２９には、第１の昇降部材２７の係合ピン２７ｃが摺動自在に係合される。
【００４３】
第２の昇降部材３３は基部３４と突出部３５、３５とが一体に形成されて成り、上下方向へ移動可能とされている（図４及び図９参照）。
【００４４】
基部３４は縦長の矩形状に形成され、上端部に前方へ突出された係合突部３４ａが形成されている。そして、基部３４の外周には後方へ向けて突出された外周壁３４ｂが形成され、該外周壁３４ｂのうち基部３４の上縁及び下縁の左右方向における中央部に相当する位置に、それぞれ係合スリット３４ｃ、３４ｃが形成されている。
【００４５】
突出部３５、３５は基部３４の上下方向における中央部からそれぞれ側方に突出され、それぞれ左右方向に延びる係合孔３５ａ、３５ａを有している。
【００４６】
第２の昇降部材３３は、係合突部３４ａがカム部材２８の第２のカム溝３０に摺動自在に係合され、カム部材２８の回転に伴って上下方向へ移動される。
【００４７】
上記支持ベース２１の枠状部２３には後方側からカバー３６が取り付けられる（図４及び図１０参照）。従って、カム部材２８及び第２の昇降部材３３は、支持ベース２１の支持面部２２とカバー３６との間の空間に配置される。
【００４８】
カバー３６は前後方向から見て板状の略正方形状を為し、略中央部に後方へ突出された支持軸３６ａ、３６ａが左右に離間して設けられている。そして、カバー３６には、その中央を挟んで左右の位置に、側方に凸の円弧孔３６ｂ、３６ｂが形成されている。また、カバー３６の前面の左右方向における中央部には上下に延びるガイド突部３６ｃが形成され、該ガイド突部３６ｃに第２の昇降部材３３の係合スリット３４ｃ、３４ｃが係合され、第２の昇降部材３３がガイド突部３６ｃに案内されカム部材２８の回転に伴って上下方向へ移動される。
【００４９】
回動部材３７、３７は、それぞれ一方向に長く延び一端部がカバー３６の支持軸３６ａ、３６ａに支持され、該支持軸３６ａ、３６ａを支点としてカバー３６に回動自在に支持されている（図１０参照）。回動部材３７、３７の他端部には、後方へ突出された第１の係合軸３７ａ、３７ａが形成され、中間部には前方へ突出された第２の係合軸３７ｂ、３７ｂが形成されている。
【００５０】
回動部材３７、３７がカバー３６に支持された状態において、第２の係合軸３７ｂ、３７ｂはそれぞれカバー３６の円弧孔３６ｂ、３６ｂから前方へ突出され、回動部材３７、３７は第２の係合軸３７ｂ、３７ｂが円弧孔３６ｂ、３６ｂ内を移動する範囲で回動される。
【００５１】
スライドレバー３８、３８は略上下方向に長く形成され、それぞれ上下両端部にカム孔３９、３９を有している（図３参照）。カム孔３９、３９は、それぞれ上方に位置し上下方向に延びる上側垂直部３９ａと該上側垂直部３９ａに連続し下方へいくに従って後方へ変位する傾斜部３９ｂと該傾斜部３９ｂに連続し上下方向に延びる下側垂直部３９ｃとから成る。
【００５２】
スライドレバー３８、３８には、それぞれカム孔３９、３９間の位置に被ガイド孔４０、４０が上下に離間して形成され、該被ガイド孔４０、４０は上下に長く形成されている。また、スライドレバー３８、３８の上下方向における略中央部には、被支持孔４１、４１が形成されている。
【００５３】
スライドレバー３８、３８は、それぞれカム孔３９、３９に上記ベースユニット１４の後側部１６に形成された支持ピン１６ａ、１６ａが摺動自在に係合されると共に被ガイド孔４０、４０に上記支持ベース２１の枠状部２３に形成されたガイドピン２３ａ、２３ａが摺動自在に係合されることにより、ベースユニット１４と支持ベース２１とを連結している（図３参照）。
【００５４】
また、スライドレバー３８、３８の被支持孔４１、４１には、それぞれ支持ベース２１の前面側支持部２４に支持された第１の昇降部材２７の挿入突部２７ｂ、２７ｂが挿入され、これにより第１の昇降部材２７の上下方向への移動に伴ってスライドレバー３８、３８が移動される。
【００５５】
支持ベース２１の枠状部２３の両側面には、それぞれ側面板４２、４２がスライドレバー３８、３８を覆うようにして取り付けられている。側面板４２、４２の外面には、それぞれ上下方向に延びる案内溝４２ａ、４２ａが形成されている（図１１参照）。
【００５６】
ホルダー４３はディスクホールド部材４４と被支持部材４５とが前後で結合されて成り、ディスクホールド部材４４は透明材料によって形成されている（図１２参照）。そして、ホルダー４３はＣＤを搬送するための搬送手段としての役割を果たすものである。
【００５７】
ディスクホールド部材４４は前板部４６、４６と側板部４７、４７と保持部４８とが一体に形成されて成る。
【００５８】
前板部４６、４６は左右方向に延び、左右に離間して位置されている。側板部４７、４７は、それぞれ前板部４６、４６の外端から後方へ突出されて形成されている。保持部４８は前板部４６、４６を連結するように形成され、左右に離間して位置し外方へいくに従って上方へ変位する円弧状を為す保持溝４８ａ、４８ａを有している。そして、保持溝４８ａ、４８ａ間は切欠部４８ｂとして形成されている。
【００５９】
被支持部材４５は、側面部４９、４９と連結部５０と突出部５１、５１と取付部５２、５２とが一体に形成されて成る。
【００６０】
側面部４９、４９の後縁間が左右方向に長い連結部５０によって連結され、該連結部５０の左右両端部にそれぞれ左右方向に延びる係合孔５０ａ、５０ａが形成されている。突出部５１、５１はそれぞれ側面部４９、４９から下方へ突出されて形成され、それぞれ下端部に内方へ突出された被案内軸５１ａ、５１ａを有している。取付部５２、５２は、それぞれ側面部４９、４９の前縁から外方へ突出されて形成され、取付部５２、５２の先端部にそれぞれディスクホールド部材４４の側板部４７、４７の後端部が取り付けられている。
【００６１】
ホルダー４３は被支持部材４５の被案内軸５１ａ、５１ａが、それぞれ上記側面板４２、４２の案内溝４２ａ、４２ａに摺動自在に係合され、係合孔５０ａ、５０ａに上記回動部材３７、３７の第１の係合軸３７ａ、３７ａが摺動自在に係合される。従って、ホルダー４３は被案内軸５１ａ、５１ａが案内溝４２ａ、４２ａに案内されて、回動部材３７、３７の回動動作に伴って上下方向へ移動される。
【００６２】
以下に、ディスク再生装置１のローディング動作及びイジェクト動作について説明する。尚、この動作の説明にあっては、直径が約１２ｃｍのコンパクトディスク（ＣＤ）１００を用いた場合について行う。
【００６３】
先ず、ローディング動作が為される前の状態（初期状態）について説明する（図１３及び図１４参照）。
【００６４】
ベースユニット１４の支持ピン１６ａ、１６ａ、・・・は、それぞれスライドレバー３８、３８のカム孔３９、３９、・・・の下側垂直部３９ｃ、３９ｃ、・・・に係合されている。そして、支持ベース２１のガイドピン２３ａ、２３ａ、・・・は、それぞれスライドレバー３８、３８の被ガイド孔４０、４０、・・・の下端に係合されている。従って、ベースユニット１４は後方側の移動端に位置されている。
【００６５】
ベースユニット１４が後方側の移動端に位置されていることにより、上面パネル５の挿入口５ａの真下にはベースユニット１４が存在していない。従って、挿入口５ａは開放状態とされており、該挿入口５ａからＣＤ１００を挿入することが可能な状態にある。
【００６６】
ベースユニット１４が後方側の移動端に位置されているため、ディスククランパー７は鉄板１３がディスクテーブル１７のマグネット１８には吸着されず、サブマグネット１２に鉄板１３が吸着されて本体側支持部１０にスタビライザー１１が接した状態とされている。これによりスタビライザー１１とディスクテーブル１７との間には、ＣＤ１００を挿入するための十分な大きさの空間が形成されている。
【００６７】
カム部材２８は第２のカム溝３０の始端部３０ａがカム部材２８の回転中心の真上に位置されている。従って、第１のカム溝２９は、非駆動部２９ａの始端がカム部材２８の回転中心の真下に位置されている。
【００６８】
第２の昇降部材３３は係合突部３４ａが第２のカム溝３０の始端部３０ａに係合され、上方側の移動端に位置されている。そして、係合突部３４ａは操作部材３１の被押圧部３１ａに当接した状態とされている（図７参照）。従って、第２の昇降部材３３が下方へ移動されると、操作部材３１が係合突部３４ａによって下方へ押圧され得る状態となっている。また、この状態においては、操作部材３１の操作部３１ｃが作動スイッチ２６を第２の検出位置に操作している（図７参照）。
【００６９】
第１の昇降部材２７は係合ピン２７ｃが第１のカム溝２９の非駆動部２９ａの始端に係合されている。従って、第１の昇降部材２７は上方側の移動端に位置されている。
【００７０】
回動部材３７、３７は第２の係合軸３７ｂ、３７ｂが第２の昇降部材３３の係合孔３５ａ、３５ａの内端に係合され、第１の係合軸３７ａ、３７ａがホルダー４３の係合孔５０ａ、５０ａの内端に係合されている。そして、回動部材３７、３７は、上方に開口するＶ字状を為す状態とされている。また、ホルダー４３は上方側の移動端に位置されている。
【００７１】
しかして、上記に示した初期状態において、ＣＤ１００をその主面が前後方向を向く向きにして挿入口５ａから挿入すると、ＣＤ１００がホルダー４３の保持溝４８ａ、４８ａ内に載置されてディスクホールド部材４４に保持される（図１、図１３及び図１４参照）。そして、前面パネル６に設けられたローディング用の操作釦７を押圧操作することにより、駆動モーターが回転され保持されたＣＤ１００のローディングが為される。
【００７２】
駆動モーターが一の方向へ回転されると、カム部材２８が正面から見て時計回り方向へ回転されていく。カム部材２８が回転されると、係合突部３４ａの第２のカム溝３０に対する位置が変化され、第２の昇降部材３３が下方へ移動されていく。この間、第１の昇降部材２７の係合ピン２７ｃは第１のカム溝２９の円弧状を為す非駆動部２９ａ内を移動されるため、第１の昇降部材２７は移動されない。
【００７３】
第２の昇降部材３３は、係合突部３４ａが第２のカム溝３０の始端部３０ａを通って作動部３０ｂ内を移動されることにより、下方へ移動される。第２の昇降部材３３が下方へ移動されていくと、係合孔３５ａ、３５ａに第２の係合軸３７ｂ、３７ｂが摺動自在に係合されているため、回動部材３７、３７は先端部が下方へ移動される向きに回動されていく。そして、回動部材３７、３７の第１の係合軸３７ａ、３７ａがホルダー４３の係合孔５０ａ、５０ａに摺動自在に係合されているため、ＣＤ１００を保持したホルダー４３が回動部材３７、３７の回動動作に伴って下方へ移動されていく。
【００７４】
第２の昇降部材３３が下方へ移動され係合突部３４ａが第２のカム溝３０の作動部３０ｂの終端に達したところで、ホルダー４３の下方への移動が一旦終了する。このとき、ＣＤ１００の中心孔１００ａがディスククランパー７とディスクテーブルとの間に位置され、ＣＤ１００のチャッキングが可能な状態となる（図１６参照）。
【００７５】
駆動モーターが引き続き回転されてカム部材２８が回転され、第２の昇降部材３３の係合突部３４ａが第２のカム溝３０の非作動部３０ｃ内を移動される（図１５参照）。非作動部３０ｃはカム部材２８の回転中心を中心とした円弧状に形成されているため、第２の昇降部材３３は移動されず、従って、ホルダー４３も上下方向へ移動されない。
【００７６】
第１の昇降部材２７の係合ピン２７ｃはカム部材２８の回転に伴って第１のカム溝２９の非駆動部２９ａから駆動部２９ｂ内を移動される。係合ピン２７ｃが駆動部２９ｂ内を移動されると、第１の昇降部材２７が下方へ移動されていく。
【００７７】
第１の昇降部材２７が下方へ移動されていくと、挿入突部２７ｂ、２７ｂがスライドレバー３８、３８の被支持孔４１、４１に挿入されているため、スライドレバー３８、３８が下方へ移動されていく。スライドレバー３８、３８のカム孔３９、３９にはベースユニット１４に形成された支持ピン１６ａ、１６ａが摺動自在に係合されているため、スライドレバー３８、３８の下方への移動によって支持ピン１６ａ、１６ａがスライドレバー３８、３８に対して相対的に上方へ移動されていく。
【００７８】
支持ピン１６ａ、１６ａが上方へ向けてカム孔３９、３９の傾斜部３９ｂ、３９ｂ内を移動されていくと、ベースユニット１４が前方へ移動されていく。ベースユニット１４が前方へ移動されると、ディスクテーブル１７がディスククランパー７に接近していき、ＣＤ１００の中心孔１００ａに嵌合部１７ｂが挿入される。
【００７９】
上記したように、ディスクテーブル１７のマグネット１８はディスククランパー７のサブマグネット１２より磁力が強いため、ベースユニット１４が前方へ移動され所定の位置に達すると、スタビライザー１１の鉄板１３がマグネット１８によって吸着されてスタビライザー１１が本体側支持部１０から離間され、これによりディスクテーブル１７のクランプ部１７ａとスタビライザー１１のクランプ部１１ａとによってＣＤ１００が挟持され、ＣＤ１００のチャッキングが完了する（図１８参照）。
【００８０】
従って、ＣＤ１００がディスククランパー７とディスクテーブル１７との間に挿入される前の状態においては、上記のように、スタビライザー１１の鉄板１３が本体側支持部１０のサブマグネット１２に吸着されてスタビライザー１１が本体側支持部１０に接触した状態とされているため、スタビライザー１１がＣＤ１００の搬送時に該ＣＤ１００がスタビライザーと接触されるようなことがなく、また、チャッキング時には鉄板１３がディスクテーブル１７のマグネット１８に吸着されるため、ＣＤ１００についてのローディング動作、イジェクト動作及びチャッキング動作の適正化を図ることができる。
【００８１】
特に、ディスク再生装置１のように、ＣＤ１００を上下に移動させる縦型のローディング機構を有するものにあっては、スタビライザー１１が本体側支持部１０に対して傾斜した状態になり易いが、非チャッキング時においてスタビライザー１１を本体側支持部１０に接触させておくことは、ＣＤ１００についてのローディング動作、イジェクト動作及びチャッキング動作の適正化を図る上で、より一層有効なものとなる。
【００８２】
また、ディスク再生装置１にあっては、非チャッキング時においてスタビライザー１１を本体側支持部１０に対して適正な姿勢を保つために、本体側支持部１０に設けたサブマグネット１２によってスタビライザー１１に設けた鉄板１３を吸着させることによって行っており、ディスククランパー９の周辺にスタビライザー１１を本体側支持部１０に対して適正な姿勢を保つための機構が特に存在しない。
【００８３】
従って、使用者が前面パネル６の透明パネル部６ｂを視認したときの外観がよくデザイン性の向上を図ることができる。
【００８４】
ディスククランパー７にあっては、ディスクテーブル１７のマグネット１８よりも弱い磁力を有するサブマグネット１２を本体側支持部１０に設けたので、ＣＤ１００のチャッキング時に鉄板１３がマグネット１８に確実に吸着され、チャッキング動作を確実に行うことができる。また、ディスククランパー７と該ディスククランパー７に対して離接する方向へ移動されるディスクテーブル１７との距離を適宜に設定するだけでローディング動作等の適正化を図ることができるため、その分、設計が容易であると共に設計の自由度の向上を図ることができる。
【００８５】
尚、上記には、スタビライザー１１に鉄板１３を設け、該鉄板１３をサブマグネット１２又はマグネット１８に吸着させるようにしているが、逆に、スタビライザー１１にマグネットを設け、本体側支持部１０及びディスクテーブル１７にそれぞれ鉄板等の磁性金属材料を配置することも可能である。
【００８６】
但し、ディスク再生装置１のように鉄板１３の両側にサブマグネット１２、マグネット１８を設けた方が、双方のマグネットの磁力を変えるだけでＣＤ１００についてのローディング動作、イジェクト動作及びチャッキング動作の適正化を図ることができ、設計が簡単になる。
【００８７】
また、サブマグネット１２、マグネット１８、鉄板１３の大きさや形状、これらの間の距離は適宜に設定することが可能であり、このような適宜の設定によりチャッキング時にスタビライザー１１をＣＤ１００を介してディスクテーブル１７側に適正に移動させ、非チャッキング時にスタビライザー１１を本体側支持部１０側に適正に移動させるための最適な設定を行うことができる。
【００８８】
ＣＤ１００についてのチャッキング動作が為されるときには、上記したように、ベースユニット１４が前方へ移動される。そして、ベースユニット１４が前方へ移動されることにより、上面パネル５の挿入口がベースユニット１４の上面部１４ａによって下方側から閉塞される（図１８参照）。従って、ベースユニット１４の上面部１４ａは、挿入口５ａを開閉するシャッターとして機能する。
【００８９】
ＣＤ１００のチャッキングが完了した状態においては、第２の昇降部材３３の係合突部３４ａが第２のカム溝３０の非作動部３０ｃの終端に係合されており、また、第１の昇降部材２７の係合ピン２７ｃが第１のカム溝２９の駆動部２９ｂの終端に係合されている（図１７参照）。
【００９０】
駆動モーターは引き続き回転されカム部材２８が回転され、第２の昇降部材３３の係合突部３４ａが第２のカム溝３０の終端部３０ｄ内を移動され、第２の昇降部材３３が下方へ移動される。一方、第１の昇降部材２７は係合ピン２７ｃが第１のカム溝２９のロック部２９ｃ内を移動されるため、第１の昇降部材２７は移動されずベースユニット１４は前後方向へ移動されない。
【００９１】
係合突部３４ａが終端部３０ｄ内を移動され第２の昇降部材３３が下方へ移動されることにより、ホルダー４３が再び下方へ移動される。このとき、ＣＤ１００はディスククランパー７とディスクテーブル１７とによってチャッキングされているため、ホルダー４３の下方への移動によって該ホルダー４３がＣＤ１００から下方へ退避される（図１９参照）。従って、ＣＤ１００はホルダー４３と干渉することなく回転可能な状態とされる。
【００９２】
カム部材２８が回転され係合突部３４ａが終端部３０ｄ内を移動され所定の位置に達したところで、操作部材３１の操作部３１ｃによって作動スイッチ２６が第３の検出位置に操作され、駆動モーターに停止信号が送出されて該駆動モーターの回転が停止される。
【００９３】
前面パネル６の再生用の操作釦７を押圧操作すると、スピンドルモーターが回転されてディスクテーブル１７が回転されチャッキングされたＣＤ１００が回転されると共に光学ピックアップ１９の駆動によってＣＤ１００に対する再生動作が行われる。
【００９４】
前面パネル６の再生停止用の操作釦７を押圧操作すると、ＣＤ１００の回転が停止されると共に光学ピックアップ１９の駆動が停止されＣＤ１００に対する再生動作が終了する。
【００９５】
ＣＤ１００のイジェクト動作は、駆動モーターが先程とは逆方向へ回転されることにより為され、前面パネル６に設けられたイジェクト用の操作釦７を押圧操作することにより、駆動モーターが回転されＣＤ１００のイジェクトが為される。
【００９６】
駆動モーターが逆方向へ回転されると、第２の昇降部材３３の係合突部３４ａが第２のカム溝３０の終端部３０ｄから非作動部３０ｃへ向けて移動され（図１７参照）、第２の昇降部材３３及びホルダー４３が上方へ移動されてチャッキングされているＣＤ１００のホルダー３４による保持が可能な状態となる（図１８参照）。
【００９７】
さらに、カム部材２８が回転されると、第１の昇降部材２７の係合ピン２７ｃが第１のカム溝２９の駆動部２９ｂ内を非駆動部２９ａに向けて移動され、ベースユニット１４が後方へ移動される（図１６参照）。そして、ベースユニット１４の後方への移動によって、ディスクテーブル１７のマグネット１８によるスタビライザー１１の鉄板１３への吸着が解除されると共に鉄板１３が本体側支持部１０のサブマグネット１２に吸着され、ＣＤ１００のチャッキングが解除される。
【００９８】
ベースユニット１４が後方へ移動されることにより、上面部１４ａによって閉塞されていた上面パネル５の挿入口５ａが開放され、ＣＤ１００の挿入口５ａからの排出が可能な状態となる（図１６参照）。
【００９９】
さらに、カム部材２８が回転されると、第２の昇降部材３３の係合突部３４ａが第２のカム溝３０の作動部３０ｂ内を始端部３０ａへ向けて移動され、再び第２の昇降部材３３及びホルダー４３が上方へ移動される。そして、ホルダー３４の上方への移動によってＣＤ１００が挿入口５ａから排出されていく（図１４参照）。第２の昇降部材３３の係合突部３４ａが始端部３０ａの所定の位置に達したところで、操作部材３１の操作部３１ｃによって作動スイッチ２６が第２の検出位置に操作され、駆動モーターに停止信号が送出されて該駆動モーターの回転が停止され、イジェクト動作が終了する。
【０１００】
ディスク再生装置１にあっては、上記したように、前面パネル６に設けられたローディング用の操作釦７を押圧操作すると、駆動モーターが回転され保持されたＣＤ１００のローディングが為されるが、挿入口５ａから挿入しホルダー４３の保持溝４８ａ、４８ａ内に載置されたＣＤ１００を下方へ押圧することによってもローディングを行うことができる。
【０１０１】
上記した初期状態、即ち、ＣＤ１００についてのローディング動作が為される前の状態において、挿入口５ａからＣＤ１００を挿入しホルダー４３の保持溝４８ａ、４８ａ内に載置されたＣＤ１００を下方へ押圧すると、ホルダー４３及び回動部材３７、３７を介して第２の昇降部材３３が稍下方へ移動される。第２の昇降部材３３が稍下方へ移動されると、第２のカム溝３０の始端部３０ａにおいて操作部材３１の被押圧部３１ａに当接されている係合突部３４ａが被押圧部３１ａを稍下方へ押圧する（図８参照）。そして、操作部材３１はカム部材２８に対して稍下方へ移動され、操作部３１ｃによる作動スイッチ２６の第２の検出位置への操作が解除され、作動スイッチ２６が第１の検出位置に至る（図８参照）。
【０１０２】
作動スイッチ２６が第１の検出位置に操作されると、駆動モーターに駆動信号が送出され該駆動モーターが回転され、上記したローディング動作が為される。
【０１０３】
そして、ＣＤ１００の押圧を解除すると、操作部材３１がカム部材２８と操作部材３１との間に張設された引張コイルバネ３２の付勢力によって上方へ移動され、被押圧部３１ａがカム部材２８の規制部２８ｇに係合されて操作部材３１の上方への移動が規制される。
【０１０４】
従って、操作部材３１は被押圧部３１ａが第２の昇降部材３３の係合突部３４ａによって押圧可能な位置に確実に戻るため、常に、ＣＤ１００の押圧によるローディング動作を適正かつ確実に開始させることができる。
【０１０５】
上記したように、ディスク再生装置１にあっては、ＣＤ１００の押圧に際してカム部材２８の第２のカム溝３０を形成する壁部を係合突部３４ａによって押圧せず、ＣＤ１００が押圧される方向へ移動される操作部材３１を押圧することによってローディング動作が自動的に開始される。
【０１０６】
従って、ＣＤ１００を小さな力で押圧してローディング動作を行うことができ、ディスク再生装置１の使い勝手の向上を図ることができると共にＣＤ１００を押圧することによってＣＤ１００やホルダー４３等のディスク再生装置１の各部材を破損することがない。
【０１０７】
また、操作部材３１はカム部材２８に移動自在に支持されているため、操作部材３１の配置スペースが少なくて済み、その分、ディスク再生装置１の小型化を図ることができる。
【０１０８】
さらに、ディスク再生装置１にあっては、上記したように、カム部材２８の回転に伴ってＣＤ１００についてのローディング動作とＣＤ１００についてのチャッキング動作が連続して行われるため、これらの各動作を行うために各別の部材又は機構を必要とせず、その分、部品点数の削減及び機構の簡素化を図ることができる。
【０１０９】
次に、所定時間経過後のシャッター、即ち、ベースユニット１４の上面部１４ａによる挿入口５ａの閉塞動作について説明する。
【０１１０】
ディスク再生装置１にあっては、挿入口５ａが開放されている状態において、所定時間経過後に自動的に挿入口５ａがベースユニット１４の上面部１４ａによって閉塞されるようになっている。
【０１１１】
図２０は、挿入口５ａを所定時間経過後に自動的に閉塞させるための回路構成を示すブロック図である。
【０１１２】
ディスク再生装置１のホルダー４３は、コントローラー２００からの指令に基づいてモータードライバー２０１を介して駆動モーター２０２が回転されることにより昇降される。コントローラ２００は、操作釦７、７、・・・及び作動スイッチ２６への操作に基づいて各種の信号を送出する。
【０１１３】
図２１は、挿入口５ａを所定時間経過後に自動的に閉塞させるための動作を示すフローチャート図である。尚、このフローチャート図は、挿入口５ａが閉塞されている状態を開始時点としたものである。
【０１１４】
（１）イジェクト用の操作釦７が操作されると、コントローラー２００からイジェクト命令がモータードライバー２０１を介して駆動モーター２０２に為され、駆動モーター２０２が回転されホルダー４３が上方へ移動されてイジェクト動作が為される。
【０１１５】
（２）イジェクト動作が完了した状態においては、ベースユニット１４が後方側の移動端に位置されているため、挿入口５ａが開放されておりＣＤ１００の挿入が可能な状態とされている。
【０１１６】
（３）作動スイッチ２６が第２の検出位置に操作され、駆動モーター２０２の回転が停止されてイジェクト動作が完了すると、コントローラー２００によって設定時間のカウントが開始される。この設定時間は、例えば、１分間に設定されている。
【０１１７】
（４）設定時間内に挿入口５ａのクローズ命令が出されていない場合には、設定時間のカウントが続行される。クローズ命令が出された場合には、（６）のクローズ動作、即ち、ベースユニット１４の上面部１４ａによって挿入口５ａが閉塞される動作が為される。このクローズ命令は、例えば、使用者によってローディング用の操作釦７が操作されたときにコントローラー２００から出され、これにより上記したローディング動作が行われる。
【０１１８】
（５）コントローラー２００による設定時間のカウントが０になれば、クローズ動作が行われる。設定時間のカウントが０になっていなければ、クローズ命令が出されているかどうかの検出及び設定時間のカウントが引き続き行われる。
【０１１９】
（６）クローズ動作が行われる。即ち、コントローラー２００から作動信号が送出され、駆動モーター２０２が回転されてホルダー４３が下方へ移動され、また、ベースユニット１４が後方側の移動端から前方側の移動端まで移動され、上面部１４ａによって挿入口５ａが閉塞される。
【０１２０】
（７）カム部材２８の回転により操作部材３１の操作部３１ｃによって作動スイッチ２６が第３の検出位置に操作され、駆動モーター２０２の回転が停止されてクローズ動作が完了する。
【０１２１】
尚、ディスク再生装置１にあっては、挿入口５ａからのＣＤ１００の挿入の有無に拘らず所定時間経過後に挿入口５ａが閉塞される。従って、挿入口５ａからＣＤ１００が挿入された場合には、所定時間経過後にホルダー４３の下方への移動及びベースユニット１４の前方への移動が為されてＣＤ１００についてのローディング動作が為されると共に挿入口５ａが閉塞され、挿入口５ａからＣＤ１００が挿入されなかった場合には、所定時間経過後にホルダー４３の下方への移動及びベースユニット１４の前方への移動が為されて挿入口５ａが閉塞される。
【０１２２】
このように、ディスク再生装置１にあっては、所定時間の経過後に挿入口５ａが閉塞されるため、挿入口５ａからの塵埃等の侵入及びＣＤ１００への塵埃等の付着を最小限に抑えることができ、ディスク再生装置１の性能の維持を図ることができる。
【０１２３】
また、ベースユニット１４の一部を挿入口５ａを開閉するためのシャッターとして用いることにより、別にシャッターを必要とせず、ディスク再生装置１の部品点数が削減されディスク再生装置１の製造コストの低減を図ることができる。
【０１２４】
さらに、ベースユニット１４がＣＤ１００についてのチャッキング動作時に移動されるときに挿入口５ａが閉塞され、ベースユニット１４がＣＤ１００についてのチャッキングの解除時に移動されるときに挿入口５ａが開放されるため、必要に応じて挿入口５ａが開閉され、ディスク再生装置１の使い勝手の向上を図ることができると共に挿入口５ａからの塵埃等の侵入を効率的に抑制することができる。
【０１２５】
次に、ディスクアダプター３００について説明する。このディスクアダプター３００は、直径がＣＤ１００より小さいディスク状記録媒体、例えば、直径が８ｃｍの小径のＣＤ４００が装着されてディスク再生装置１に用いられるものである。
【０１２６】
ディスクアダプター３００は、主板部３０１と脱落防止部３０２とが、例えば、透明な樹脂材料によって一体に形成されて成る（図２２及び図２３参照）。
【０１２７】
主板部３０１は略円環状の板状を為し、内周縁の半円周側に脱落防止部３０２が形成されている。そして、主板部３０１の外周縁の半円周側には、周方向に等間隔に離間して位置決め突部３０１ａ、３０１ａ、３０１ａが形成されている。
【０１２８】
脱落防止部３０２は、主板部３０１の内周縁に連続された基部３０２ａと該基部３０２ａから内方へ突出された支持片３０２ｂ、３０２ｂ、・・・とから成る。基部３０２ａは周方向に延びるように形成され、主板部３０１より稍厚肉に形成されている。
【０１２９】
支持片３０２ｂ、３０２ｂ、・・・は周方向に離間して５つが形成され、基部３０２ａの厚み方向における両端部から交互に突出されている。そして、中央に位置する支持片３０２ｂは、中央に位置する位置決め突部３０１ａに対応する位置に形成されている。また、隣り合う支持片３０２ｂ、３０２ｂの厚み方向における間隔は、ＣＤ４００の厚みより僅かに大きく形成されている。
【０１３０】
ＣＤ４００は外周縁が支持片３０２ｂ、３０２ｂ、・・・によって厚み方向における両側から挟み込まれるようにしてディスクアダプター３００に装着されて支持される。そして、このようにしてＣＤ４００が支持された状態において、主板部３０１のうち脱落防止部３０２が形成された側と反対側の内周縁とＣＤ４００の外周縁との間には、一定の大きさの空間が形成され、この空間が指挿入空間３０３として機能する（図２２参照）。
【０１３１】
このように、指挿入空間３０３が形成されることにより、該指挿入空間３０３に指を挿入してＣＤ４００のディスクアダプター３００に対する着脱を容易に行うことができる。
【０１３２】
また、ディスクアダプター３００にあっては、主板部３０１の内周縁にＣＤ４００を厚み方向における両側から支える支持片３０２ｂ、３０２ｂ、・・・を形成しているため、支持片３０２ｂ、３０２ｂ、・・・間にＣＤ４００を挿入し、または、支持片３０２ｂ、３０２ｂ、・・・間からＣＤ４００を取り出すだけで着脱を行うことができ、ＣＤ４００のディスクアダプター３００への着脱作業が極めて簡単である。
【０１３３】
さらに、支持片３０２ｂ、３０２ｂ、・・・は簡単な構成であるため、ディスクアダプター３００の製造コストの低減を図ることができる。
【０１３４】
ＣＤ４００を支持した状態において、ディスクアダプター３００は中央に位置する位置決め突部３０１ａが真下に位置するようにしてディスク再生装置１の挿入口５ａから挿入される。そして、挿入口５ａから挿入されたディスクアダプター３００は、中央に位置する位置決め突部３０１ａがホルダー４３の保持部４８の切欠部４８ｂ内に位置されると共に両側に位置する位置決め突部３０１ａ、３０１ａがそれぞれ保持部４８の上縁の左右両端部に載置されてホルダー４３に対して位置決めされる（図２２参照）。
【０１３５】
この状態で、上記したＣＤ１００と同様にしてローディング動作が為される。そして、ＣＤ４００についてのチャッキングが完了した状態においては、上記と同様に、第２の昇降部材３３の係合突部３４ａが第２のカム溝３０の非作動部３０ｃの終端に係合されており、駆動モーターが引き続き回転されることにより係合突部３４ａが終端部３０ｄ内を移動され第２の昇降部材３３が下方へ移動されホルダー４３が下方へ移動される。このとき、ＣＤ４００はディスククランパー７とディスクテーブル１７とによってチャッキングされているため、ホルダー４３の下方への移動によって保持溝４８ａ、４８ａ内に載置されているディスクアダプター３００がＣＤ４００から下方へ退避されＣＤ４００に干渉しない非干渉位置に至る。従って、ＣＤ４００はディスクアダプター３００と干渉することなく回転されて再生動作が為される。
【０１３６】
このように、ディスクアダプター３００にあっては、ＣＤ４００の回転時にディスクアダプター３００に干渉しない非干渉位置に移動されるため、ＣＤ４００はディスクアダプター３００への装着が解除された状態で回転される。従って、ＣＤがディスクアダプターに装着された状態で一体となって回転される場合に比し、面ブレの発生を抑制することができ、光学ピックアップ１９によるＣＤ４００に記録された信号の読取性能の向上を図ることができる。
【０１３７】
以上に記載した通り、ディスクアダプター３００にあっては、脱落防止部３０２を主板部３０１の半円周側に設けたので、従来のディスクアダプターのように内周上に設けられた複数の保持片をＣＤの外周縁に係合させ、また、係合を解除して着脱作業を行う必要がなく、ＣＤ４００のディスクアダプター３００に対する着脱作業の手間がほとんどなく作業性の向上を図ることができる。
【０１３８】
また、ディスクアダプター３００を縦型ローディングタイプのディスク再生装置１に用いることにより、ＣＤ４００のディスクアダプター３００に対する着脱に際しＣＤ４００をディスクアダプター３００に対して上下方向へスライドさせるようにするだけでよく、また、ディスクアダプター３００の挿入口５ａに対する挿脱に際し、ＣＤ４００が装着されたディスクアダプター３００を把持して上下に移動するだけでよく、これにより使い勝手の向上を図ることができる。
【０１３９】
図２４はディスクアダプター３００の変形例を示すものである。ディスクアダプター３００Ａは主板部３０１Ａが略円弧状に形成されている。そして、主板部３０１Ａの周方向における端縁間に間隙が形成され、この間隙が指挿入空間３０３Ａとして機能する。
【０１４０】
このディスクアダプター３００Ａにあっては、指挿入空間３０３Ａが大きな空間として形成されるため、ＣＤ４００の着脱が一層容易になる。
【０１４１】
尚、上記した実施の形態において示した各部の具体的な形状及び構造は、何れも本発明の実施を行うに際しての具体化のほんの一例を示したものにすぎず、これらによって本発明の技術的範囲が限定的に解釈されることがあってはならないものである。
【０１４２】
【発明の効果】
以上に記載したところから明らかなように、本発明記録及び／又は再生装置は、記録媒体を保持して搬送する搬送手段と、記録媒体が挿入される挿入口と、該挿入口を開閉するシャッターと、カム部材を回転させることによって、上記搬送手段とスライドレバーとを上下方向に移動させる一つの駆動モーターと、上記スライドレバーが移動することにより上記スライドレバーに設けられたカム部に案内されて移動する上記記録媒体に対して情報信号の記録及び／又は再生を行う記録再生手段を有するベースユニットを備え、開放されている挿入口から上記記録媒体が挿入され搬送手段に保持されたときには、所定時間経過後に記録媒体がローディングされると共にシャッターによって挿入口が閉塞され、開放されている挿入口から記録媒体が挿入されないときには、所定時間経過後にシャッターによって挿入口が閉塞されるようにし、上記シャッターとして、上記ベースユニットの一部を用い、上記ベースユニットは、上記駆動モーターが上記カム部材を回転させると共に、移動する上記スライドレバーのカム部により前後方向へ移動してローディングされた記録媒体を装着する装着手段を有し、記録媒体の装着手段への装着時にベースユニットが移動されるときにベースユニットの一部によって上記挿入口が閉塞され、記録媒体の装着手段からの装着解除時にベースユニットが移動されるときに上記挿入口が開放されるようにしたことを特徴とする。
【０１４３】
従って、挿入口からの塵埃等の侵入及び記録媒体への塵埃等の付着を最小限に抑えることができるため、記録及び／又は再生装置の性能の維持を図ることができる。そして、シャッターとして、ベースユニットの一部を用いたので、別にシャッターを必要とせず、記録及び／又は再生装置の部品点数が削減され記録及び／又は再生装置の製造コストの低減を図ることができる。そして、さらに、ベースユニットは駆動モーターがカム部材を回転させると共に、移動する上記スライドレバーのカム部により前後方向へ移動してローディングされた記録媒体を装着する装着手段を有し、記録媒体の装着手段への装着時にベースユニットが移動されるときにベースユニットの一部によって挿入口が閉塞され、記録媒体の装着手段からの装着解除時にベースユニットが移動されるときに挿入口が開放されるようにしたので、必要に応じて挿入口が開閉され、記録及び／又は再生装置の使い勝手の向上を図ることができると共に挿入口からの塵埃等の侵入を効率的に抑制することができる。
【図面の簡単な説明】
【図１】図２乃至図２４と共に本発明の実施の形態を示すものであり、本図はＣＤが外筐内に挿入される前の状態を示すディスク再生装置の概略正面図である。
【図２】ＣＤが外筐内に挿入された状態を示すディスク再生装置の概略正面図である。
【図３】ベースユニットと支持ベースとスライドレバーとの関係を一部を断面にして示す概略側面図である。
【図４】各部材の配置関係を示す概略縦断面図である。
【図５】第１の昇降部材の正面図である。
【図６】カム部材の正面図である。
【図７】図８と共に操作部材を支持したカム部材を示すものであり、本図は操作部材が押圧されていない状態を示す背面図である。
【図８】操作部材が押圧された状態を示す背面図である。
【図９】第２の昇降部材を示す背面図である。
【図１０】カバーを示す背面図である。
【図１１】側面板を示す側面図である。
【図１２】ホルダーを示す斜視図である。
【図１３】図１４乃至図１９と共にディスク再生装置の動作を示すものであり、本図は初期状態を示す概略正面図である。
【図１４】初期状態を一部を断面にして示す概略側面図である。
【図１５】ＣＤがディスクテーブルとディスククランパーとの間に位置された状態を示す概略正面図である。
【図１６】ＣＤがディスクテーブルとディスククランパーとの間に位置された状態を一部を断面にして示す概略側面図である。
【図１７】ＣＤがチャッキングされた状態を示す概略正面図である。
【図１８】ＣＤがチャッキングされた状態を一部を断面にして示す概略側面図である。
【図１９】ホルダーがＣＤから退避した位置に下降された状態を示す概略正面図である。
【図２０】挿入口を所定時間経過後に自動的に閉塞させるための回路構成を示すブロック図である。
【図２１】挿入口を所定時間経過後に自動的に閉塞させるための動作を示すフローチャート図である。
【図２２】ディスクアダプターの正面図である。
【図２３】ディスクアダプターの斜視図である。
【図２４】ディスクアダプターの変形例を示す正面図である。
【符号の説明】
１…ディスク再生装置（記録及び／又は再生装置）、５ａ…挿入口、１４…ベースユニット、１４ａ…上面部（シャッター）、１７…ディスクテーブル（装着手段）、１９…光学ピックアップ（記録再生手段）、２８…カム部材、３８…スライドレバー、３９…カム孔（カム部）、４３…ホルダー（搬送手段）、１００…ＣＤ（記録媒体）、４００…ＣＤ（記録媒体）
【図１】
0003978951.tif 000002
【図２】
0003978951.tif 000003
【図３】
0003978951.tif 000004
【図４】
0003978951.tif 000005
【図５】
0003978951.tif 000006
【図６】
0003978951.tif 000007
【図７】
0003978951.tif 000008
【図８】
0003978951.tif 000009
【図９】
0003978951.tif 000010
【図１０】
0003978951.tif 000011
【図１１】
0003978951.tif 000012
【図１２】
0003978951.tif 000013
【図１３】
0003978951.tif 000014
【図１４】
0003978951.tif 000015
【図１５】
0003978951.tif 000016
【図１６】
0003978951.tif 000017
【図１７】
0003978951.tif 000018
【図１８】
0003978951.tif 000019
【図１９】
0003978951.tif 000020
【図２０】
0003978951.tif 000021
【図２１】
0003978951.tif 000022
【図２２】
0003978951.tif 000023
【図２３】
0003978951.tif 000024
【図２４】
0003978951.tif 000025